【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
増幅器であって、
第１の段であって、第１及び第２の入力電圧により形成される差動入力電圧を受信し、それに応答して、それぞれ第１及び第２のライン電圧を有する第１及び第２のラインに第１の差動電流を出力する、前記第１の段と、
前記第１の段に結合される第２の段であって、前記第１及び第２のライン電圧を受信し、それに応答して、それぞれ第３及び第４のライン電圧を有する第３及び第４のラインに第２の差動電流を出力する、前記第２の段と、
前記第１及び第２の段に結合される変圧器であって、前記変圧器が第１及び第２のコイルを含み、前記第１のコイルの第１の端子が第１のレジスタを介して前記第１のラインに結合され、前記第１のコイルの第２の端子が第２のレジスタを介して前記第２のラインに結合され、前記第２のコイルの第１の端子が第３のレジスタを介して前記第３のラインに結合され、前記第２のコイルの第２の端子が第４のレジスタを介して前記第４のラインに結合される、前記変圧器と、
を含み、
電圧供給ノードが、前記第１のコイルの第３の端子と前記第２のコイルの第３の端子とに結合される、増幅器。
【請求項２】
請求項１に記載の増幅器であって、
前記第１及び第２の段が、それぞれ第１及び第２の利得を有する第１及び第２のトランスコンダクタンス増幅器である、増幅器。
【請求項３】
請求項１に記載の増幅器であって、
前記第１のコイルが、電流を第１の方向に導通させるためのものであり、
前記第２のコイルが、電流を前記第１の方向と実質的に等しい第２の方向に導通させるためのものである、増幅器。
【請求項４】
請求項１に記載の増幅器であって、
前記第１のコイルが、受動インピーダンスブーストを前記第１及び第２のラインに提供するためのものであり、
前記第２のコイルが、受動インピーダンスブーストを前記第３及び第４のラインに提供するためのものである、増幅器。
【請求項５】
請求項１に記載の増幅器であって、
前記第１のコイルが、能動フィードバックを前記第３及び第４のラインに提供するためのものであり、
前記第２のコイルが、能動フィードバックを前記第１及び第２のラインに提供するためのものである、増幅器。
【請求項６】
請求項１に記載の増幅器であって、
前記変圧器が、前記第１及び第２のコイル間の制御されたＨフィールドカップリングを備える磁場を収容するためのものである、増幅器。
【請求項７】
増幅器であって、
第１及び第２の入力電圧により形成される差動入力電圧を受信し、それに応答して、それぞれ第１及び第２のライン電圧を有する第１及び第２のラインに第１の差動電流を出力する第１の段であって、第１の利得を有する第１のトランスコンダクタンス増幅器である、前記第１の段と、
前記第１の段に結合され、前記第１及び第２のライン電圧を受信し、それに応答して、それぞれ第３及び第４のライン電圧を有する第３及び第４のラインに第２の差動電流を出力する第２の段であって、第２の利得を有する第２のトランスコンダクタンス増幅器である、前記第２の段と、
前記第１及び第２の段に結合される変圧器であって、前記変圧器が第１及び第２のコイルを含み、前記第１のコイルの第１の端子が第１のレジスタを介して前記第１のラインに結合され、前記第１のコイルの第２の端子が第２のレジスタを介して前記第２のラインに結合され、前記第２のコイルの第１の端子が第３のレジスタを介して前記第３のラインに結合され、前記第２のコイルの第２の端子が第４のレジスタを介して前記第４のラインに結合され、前記第１のコイルが電流を第１の方向に導通させるためのものであり、前記第２のコイルが電流を前記第１の方向に実質的に等しい第２の方向に導通させるためのものである、前記変圧器と、
を含み、
電圧供給ノードが、前記第１のコイルの第３の端子と前記第２のコイルの第３の端子とに結合される、増幅器。
【請求項８】
請求項７に記載の増幅器であって、
前記第１のコイルが、受動インピーダンスブーストを前記第１及び第２のラインに提供し、能動フィードバックを前記第３及び第４のラインに提供するためのものであり、
前記第２のコイルが、受動インピーダンスブーストを前記第３及び第４のラインに提供し、能動フィードバックを前記第１及び第２のラインに提供するためのものである、増幅器。
【請求項９】
請求項８に記載の増幅器であって、
前記変圧器が、前記第１及び第２のコイル間の制御されたＨフィールドカップリングを備える磁場を収容するためのものである、増幅器。
【請求項１０】
方法であって、
増幅器の第１の段を用いて、第１及び第２の入力電圧により形成される差動入力電圧を受信し、それに応答して、それぞれ第１及び第２のライン電圧を有する第１及び第２のラインに第１の差動電流を出力することと、
前記増幅器の第２の段を用いて、前記第１及び第２のライン電圧を受信し、それに応答して、それぞれ第３及び第４のライン電圧を有する第３及び第４のラインに第２の差動電流を出力することと、
変圧器の第１のコイルの第１の端子を第１のレジスタを介して前記第１のラインに、前記第１のコイルの第２の端子を第２のレジスタを介して前記第２のラインに、前記変圧器の第２のコイルの第１の端子を第３のレジスタを介して前記第３のラインに、前記第２のコイルの第２の端子を第４のレジスタを介して前記第４のラインに、電圧供給ノードを前記第１のコイルの第３の端子と前記第２のコイルの第３の端子とに、結合することと、
を含む、方法。
【請求項１１】
請求項１０に記載の方法であって、
前記第１及び第２の段が、それぞれ、第１及び第２の利得を有する第１及び第２のトランスコンダクタンス増幅器である、方法。
【請求項１２】
請求項１０に記載の方法であって、
前記第１のコイルを介して、電流を第１の方向に導通させることと、
前記第２のコイルを介して、電流を第１の方向と実質的に等しい第２の方向に導通させることと、
を更に含む、方法。
【請求項１３】
請求項１０に記載の方法であって、
前記第１のコイルを用いて、受動インピーダンスブーストを前記第１及び第２のラインに提供することと、
前記第２のコイルを用いて、受動インピーダンスブーストを前記第３及び第４のラインに提供することと、
を更に含む、方法。
【請求項１４】
請求項１０に記載の方法であって、
前記第１のコイルを用いて、能動フィードバックを前記第３及び第４のラインに提供することと、
前記第２のコイルを用いて、能動フィードバックを前記第１及び第２のラインに提供することと、
を更に含む、方法。
【請求項１５】
請求項１０に記載の方法であって、
前記変圧器を用いて、前記第１及び第２のコイル間の制御されたＨフィールドカップリングを備える磁場を収容することを更に含む、方法。
【請求項１６】
方法であって、
増幅器の第１の段を用いて、第１及び第２の入力電圧により形成される差動入力電圧を受信し、それに応答して、それぞれ第１及び第２のライン電圧を有する第１及び第２のラインに第１の差動電流を出力することと、
前記増幅器の第２の段を用いて、前記第１及び第２のライン電圧を受信し、それに応答して、それぞれ第３及び第４のライン電圧を有する第３及び第４のラインに第２の差動電流を出力することと、
変圧器の第１のコイルの第１の端子を第１のレジスタを介して前記第１のラインに、前記第１のコイルの第２の端子を第２のレジスタを介して前記第２のラインに、前記変圧器の第２のコイルの第１の端子を第３のレジスタを介して前記第３のラインに、前記第２のコイルの第２の端子を第４のレジスタを介して前記第４のラインに、電圧供給ノードを前記第１のコイルの第３の端子と前記第２のコイルの第３の端子とに、結合することと、
前記第１のコイルを介して、電流を第１の方向に導通させることと、
前記第２のコイルを介して、電流を第１の方向と実質的に等しい第２の方向に導通させることと、
を含み、
前記第１の段が第１の利得を有する第１のトランスコンダクタンス増幅器であり、前記第２の段が第２の利得を有する第２のトランスコンダクタンス増幅器である、方法。
【請求項１７】
請求項１６に記載の方法であって、
前記第１のコイルを用いて、受動インピーダンスブーストを前記第１及び第２のラインに提供し、能動フィードバックを前記第３及び第４のラインに提供することと、
前記第２のコイルを用いて、受動インピーダンスブーストを前記第３及び第４のラインに提供し、能動フィードバックを前記第１及び第２のラインに提供することと、
を更に含む、方法。
【請求項１８】
請求項１７に記載の方法であって、
前記変圧器を用いて、前記第１及び第２のコイル間の制御されたＨフィールドカップリングを備える磁場を収容することを更に含む、方法。